(57)【要約】      （修正有）【課題】刈払い作業中に起こる、高速回転する刈刃に衝突した空き瓶、空き缶や小石等の跳ね飛ばしによる事故並びに近傍に居る人間に接触して起こる傷害や死傷事故、障害物への接触による刈刃の破損を防ぎ、簡単に刈刃の取替えもでき、簡単な機構、構成で簡易ながら安全な防護カバー付き刈払機を提供すること。【解決手段】高速回転させた刈刃で草葉を刈り取る刈払機において、刈刃７と比べて外径がやや大径で、外縁部１３に凹部を形成させた円盤状防護カバー２を、刈刃ユニットハウジング５内部の駆動軸６に取り外し自在の刈刃７の下挟持部材８と固定一体化されたベアリング１０を介し取り付け、円盤状防護カバー２が前記駆動軸とは同調回転しないよう構成させるもので、刈刃７が高速回転する中で防護カバー２は停止或いは低速回転するように構成させる。【選択図】図１
2008072930.tif 000002
【特許請求の範囲】
【請求項１】
操作主杆内部に回転自在に挿通されているドライブシャフトを介して得られるエンジンからの駆動力によって回転駆動する刈刃ユニットハウジング内部の駆動軸と、駆動軸とはネジにより取り外し自在の刈刃の下挟持部材と固定一体化されたベアリングを介し円盤状防護カバーを取り付けることにより駆動軸の回転力と縁切られる構成とし、刈刃と比べその外径がやや大径で外縁部に複数の凹部を形成させた円盤状防護カバーを刈刃の下方接地側から覆うように配置させた、前記刈刃の高速回転による空き瓶、空き缶や小石等の跳ね返りや人身事故を阻止する防護カバー付き刈払機であって、円盤状防護カバーが駆動軸並びに刈刃とは同調回転しないよう構成させた刈払機。
【請求項２】
請求項１において、円盤状防護カバーの外縁部の凸部側の突出した先端部分を更に突出延長させ、その延長分を刈刃の外縁部を覆うように上方に折り上げて、刈刃の周りをゆっくり回転する壁を形成させることにより、前記刈刃の高速回転による空き瓶、空き缶や小石等の跳ね返りや刈払機の操作者或いは周辺の者への傷害事故の阻止機能を更に高めるよう構成させた刈払機。
【発明の詳細な説明】
【技術分野】
【０００１】
本発明は、刈払機の刈刃部分に取り付けて、刈刃の高速回転による作業者や周辺の者に接触する傷害や死傷事故等の危険性や空き瓶、空き缶、小石等の跳ね返りを阻止するための円盤状防護カバーを取り付けた刈払機に関するものである。
【背景技術】
【０００２】
従来の電動或いは原動機付き刈払機には、刈刃ユニットハウジングの上部２０〜３０センチの主杆に飛散防止板が取り付けられ、刈刃用安全カバーは付いていないのが一般的な構成であった。
【０００３】
このような刈払機にあっては刈刃がむき出しになっているため安全性に欠け極めて危険であり、その用途は芝生刈り、田畑の畦草刈り及び水路の土手草刈り等のように広範囲に亘っており、刈刃の高速回転駆動によって空き瓶、空き缶や小石等が跳ね返る飛散事故や、手や足の切断等の人身事故、立ち木やポール等の物損事故等が後を絶たないため、刈刃の近傍に保護カバーを設けてそれらの損害や物損、傷害事故を防止するよう構成されるものも最近は見られる。
【０００４】
本発明はこのような状況に鑑み提案されるものであり、刈刃の下面接地側の刈刃挟持部材にベアリングの内リングを固定一体化し、そのベアリングの外リングに円盤状の防護カバーをこれも固定一体化することで、刈刃ユニットハウジング内部の駆動軸の高速回転とは同調回転しない円盤状防護カバーを得ることができる。
【特許文献１】特開Ｈ０９−２２００１１号広報
【特許文献２】特開２００１−３３３６１６号広報
【特許文献３】特開２００１−５４３０８号広報
【発明の開示】
【発明が解決しようとする課題】
【０００５】
本発明は、係る従来の問題を解消するためになされたものであり、その目的とするところは、上記した特許文献発明と同等の安全性を確保しつつ、刈刃に直接小石や障害物と衝突しない構成となるので刈刃自体も破損すること無く、しかも構造が簡単なうえ低コストで製造することができ、切断機能も損なわれないうえ、耐久性の高い刈払機を提供することにある。
【課題を解決するための手段】
【０００６】
そこで、本発明は上述した課題を解決するためになされたものであって、第１の請求項に係る発明は、刈刃に比べてやや大径で外縁部に凹部を形成させた円盤状防護カバーを、刈刃ユニットハウジング内部の駆動軸にネジで取り外し自在の、刈刃の下挟持部材と固定一体化されたベアリングを介し取り付けることにより、円盤状防護カバーが前記駆動軸とは同調回転しないよう構成させたもので、刈刃が高速回転する中で防護カバーは停止或いは低速回転しながら全周方向の障害物の刈刃への接触を防ぎ、空き瓶、空き缶や小石等を排除するよう構成させたものである。
【０００７】
第２の請求項に係る発明は、第１の請求項に係る発明において、上記円盤状防護カバーの外縁部の凸部の先端を更に突出延長させ、その延長分を上方に折り上げ、刈刃の外周部をゆっくり回転する壁を形成させることにより刈刃周辺の障害物への接触を防ぎ、空き瓶、空き缶や小石等の排除効果を更に高めるよう構成させたものである。
【発明の効果】
【０００８】
円盤状防護カバーの回転を、刈刃と駆動軸の高速回転とは切り離し、同調回転しないよう構成させ、刈払い現場の状況により円盤状防護カバーの回転が停止或いは低速回転したりするので、刈刃周りの傷害物への刈刃の接触や、空き瓶、空き缶や小石等の排除がより効果的にでき、作業者や近傍の者への傷害事故を防止したり、刈刃自体も障害物に高速で衝突したりしないので破損が防げる。
【０００９】
防護装置を円盤状にし、刈払機への取り付けも簡素化した、構造が簡単で単純なため防護カバーの制作費も安価なうえ、刈払い作業の安全性を確保し、刈刃自体の取替えも簡単にできるので、防護装置付き刈払機並びに刈払い作業の低コスト化も図ることができる。
【発明を実施するための最良の形態】
【００１０】
以下、本発明の実施の形態を図面に基づいて説明する。この刈払機１は、草刈作業をする作業者が携帯することが出来て、刈刃７を例えば回転駆動するエンジンによって高速回転させることができ、高速回転する刈刃７で草や芝生を刈り取ることができるものである。図１及び図２は刈払機１に設けられている刈刃７及び刈刃７下側の地面との間に備える円盤状防護カバー２を示す図面である。
【００１１】
図１のようにこの円盤状防護カバー２は、操作主杵３内部に回転自在に挿通されているドライブシャフト４を介して得られるエンジンからの駆動力によって回転駆動する刈刃ユニットハウジング５内部の駆動軸６に、刈刃７の下挟持部材８と内リング９が一体固定されたベアリング１０を介し、ベアリング１０の外リング１１に固定されたベアリングカバー１２に固定一体化して取り付けられる円盤状防護カバー２は、駆動軸６と共に高速回転をする刈刃７とはベアリング１０により回転力が縁切られた形となり、同調回転しない構成となる。
【００１２】
請求項１記載の円盤状防護カバー２の外径は刈刃７の外径に比べてやや大径で、外縁部１３に凹部１４を設け、刈刃７の全周方向の空き瓶、空き缶や小石等を除去し或いは障害物に刈刃が直接接触しない構成となる。
【００１３】
請求項１記載の円盤状防護カバー２の外縁部１３の凸部を更に突出延長させ、その延長した部分を上方に折り上げて立上り壁１５を作り、刈刃７の外周方向ある空き缶や小石等が刈刃周りに入り込むのを防ぐ機能を果たす請求項２の構成とする。
【００１４】
本刈払機１の刈刃７を取り替える際には、円盤状防護カバー２とベアリング１０を介して一体固定されている下挟持部材８の固定ボルト１６を緩め外して、刈刃７を取替え、再び下挟持部材８及び一体となっている円盤状防護カバー２も、一般的に広く普及している刈払機同様な手順でセットし、再び下挟持部材８の固定ボルト１６を締め付けるだけの作業で取替えが簡単に出来る構成とする。
【実施例】
【００１５】
以上のように本発明に係る刈払機は、例えば草刈り作業中に刈刃を含む高速回動部が作業所にある空き瓶、空き缶や小石などを跳ね飛ばすことや、障害物や近傍にいる人への傷害や死傷事故の防止や、刈刃が障害物に衝突して刃こぼれを起したり破損するのを防いだり、刈刃が地面に接触する衝撃や耳障りな接触音の防止等、刈刃下側と地面との間に備える回動自在の本円盤状防護カバーによりいずれも解決することができる。
【図面の簡単な説明】
【００１６】
【図１】本発明刈払機の構成を示す断面図。
【図２】本発明刈払機の図１が示すＡ−Ａ方向の正面図。
【符号の説明】
【００１７】
１    刈払機
２    円盤状防護カバー
３    操作主杵
４    ドライブシャフト
５    刈刃ユニットハウジング
６    駆動軸
７    刈刃
８    下挟持部材
９    ベアリング１０の内リング
１０    ベアリング
１１    ベアリングの外リング
１２    ベアリングカバー
１３    円盤状防護カバーの外縁部
１４    円盤状防護カバーの外縁部に設けた凹部
１５    円盤状防護カバーの外縁部に設けた壁
１６    下挟持部材固定ボルト
１７    上挟持部材
【図１】
2008072930.tif 000003
【図２】
2008072930.tif 000004